(57)【要約】【課題】一軒家の玄関先や庭先などの駐輪場所に自転車を駐輪した場合でも、自転車の盗難といった問題が発生しないようにすることを目的とする自転車の車輪を係止するようになる家庭用駐輪機の車輪係止装置を提供する。【解決手段】自宅などの家庭において自転車を駐輪する際に自転車の車輪を係止する家庭用駐輪機の車輪係止装置であって、自転車の車輪を進入可能とする車輪進入スペースを形成した装置本体１１と、この装置本体１１に回動自在に取り付けられ、装置本体１１の車輪進入スペース内に突出して車輪進入スペース内に進入した自転車の車輪を係止する左右一対のスイングストッパーアーム１５と、このスイングストッパーアーム１５による自転車の車輪を係止したとき、スイングストッパーアーム１５を固定状態にし、この固定状態にて施錠可能にすると共に、所望時にスイングストッパーアーム１５の固定状態での施錠を解除可能にする固定兼施錠手段４１と、を備えた家庭用駐輪機の車輪係止装置である。【選択図】図５
2015160503.tif 000002
【特許請求の範囲】
【請求項１】
自宅などの家庭において自転車を駐輪する際に自転車の車輪を係止する家庭用駐輪機の車輪係止装置であって、
自転車の車輪を進入可能とする車輪進入スペースを形成した装置本体１１と、
この装置本体１１に回動自在に取り付けられ、装置本体１１の車輪進入スペース内に突出して車輪進入スペース内に進入した自転車の車輪を係止する左右一対のスイングストッパーアーム１５と、
このスイングストッパーアーム１５による自転車の車輪を係止したとき、スイングストッパーアーム１５を固定状態にし、この固定状態にて施錠可能にすると共に、所望時にスイングストッパーアーム１５の固定状態での施錠を解除可能にする固定兼施錠手段４１と、
を備えたことを特徴とする家庭用駐輪機の車輪係止装置。
【請求項２】
前記固定兼施錠手段４１にあって、スイングストッパーアーム１５を固定状態にて施錠するときは自動的に施錠できるようにすると共に、スイングストッパーアーム１５の固定状態での施錠を解除するときはキーの操作あるいはボタンの操作によって手動で解除できるようにしたことを特徴とする請求項１記載の家庭用駐輪機の車輪係止装置。
【請求項３】
前記固定兼施錠手段４１にてスイングストッパーアーム１５を固定状態で施錠したとき、この施錠していることを示す施錠確認ランプ８５を備えたことを特徴とする請求項１及び２記載の家庭用駐輪機の車輪係止装置。
【発明の詳細な説明】
【技術分野】
【０００１】
本発明は、自宅などの家庭において自転車を駐輪する際、一軒家の玄関先や庭先あるいはマンションやアパートなどの駐輪場所に設置する自転車を駐輪するための家庭用駐輪機にあって、自転車の車輪を係止する家庭用駐輪機の車輪係止装置に関する。
【背景技術】
【０００２】
従来、自宅などの家庭において自転車を駐輪する際、その自転車の駐輪の仕方としては、一軒家の玄関先や庭先またはマンションやアパートなどの駐輪場所に自転車を駐輪するようにしているが、このとき、そのまま自転車をとめておく、あるいは自転車に付いている鍵を掛けてからとめておくといったことがごく一般的に行われていた。
【発明の概要】
【発明が解決しようとする課題】
【０００３】
かかる従来の家庭における自転車の駐輪の仕方であると、一軒家の玄関先や庭先またはマンションやアパートなどの駐輪場所に、そのまま自転車をとめる、あるいは自転車に付いている鍵を掛けてからとめるようにしていたが、そのまま自転車をとめた場合はもとより、自転車に付いている鍵を掛けてからとめた場合でも、この自転車に付いている鍵では容易に破壊されたり解除されたりすることができ、このため、自宅などの家庭において駐輪していた自転車が盗まれるという自転車の盗難といった問題が発生するおそれがあった。
【０００４】
近年、自転車のブームが起こっており、１台十数万円から数十万円する高価な自転車が存在するようになってきており、特に、このような高価な自転車が盗難を受けるといった問題が頻繁に発生するおそれがあった。このため、このような自転車の所有者は、一軒家またはマンションやアパートなどの部屋の室内に自転車を入れて室内にて自転車を保管するといった自衛手段を取るようにしていたが、このような室内で自転車を保管しようとすると、室内に保管した自転車が非常に邪魔なものとなり、なかなか室内で自転車を保管するといったことができなかった。
【０００５】
そこで、本発明は、このような問題点に鑑み、一軒家の玄関先や庭先またはマンションやアパートなどの駐輪場所に自転車を駐輪した場合でも、自転車の盗難といった問題が発生しないようにすることを目的とする自転車の車輪を係止するようになる家庭用駐輪機の車輪係止装置を提供することを、その課題とする。
【課題を解決するための手段】
【０００６】
第一の発明は、自宅などの家庭において自転車を駐輪する際に自転車の車輪を係止する家庭用駐輪機の車輪係止装置であって、自転車の車輪を進入可能とする車輪進入スペースを形成した装置本体と、この装置本体に回動自在に取り付けられ、装置本体の車輪進入スペース内に突出して車輪進入スペース内に進入した自転車の車輪を係止する左右一対のスイングストッパーアームと、このスイングストッパーアームによる自転車の車輪を係止したとき、スイングストッパーアームを固定状態にし、この固定状態にて施錠可能にすると共に、所望時にスイングストッパーアームの固定状態での施錠を解除可能にする固定兼施錠手段と、を備えた家庭用駐輪機の車輪係止装置である。
【０００７】
第二の発明は、第一の発明において、固定兼施錠手段にあって、スイングストッパーアームを固定状態にて施錠するときは自動的に施錠できるようにすると共に、スイングストッパーアームの固定状態での施錠を解除するときはキーやスイッチなどによる操作によって手動で解除できるようにした家庭用駐輪機の車輪係止装置である。
【０００８】
第二の発明は、第一又は第二の発明において、固定兼施錠手段にてスイングストッパーアームを固定状態で施錠したとき、この施錠していることを示す施錠確認ランプを備えた家庭用駐輪機の車輪係止装置である。
【発明の効果】
【０００９】
本発明によれば、固定兼施錠手段において、スイングストッパーアームによる自転車の車輪を係止したとき、スイングストッパーアームを固定状態にし、この固定状態にて施錠可能にすると共に、所望時にスイングストッパーアームの固定状態での施錠を解除可能にしたことで、自転車の車輪を車輪係止装置に確実に係止させることができ、これにより、駐輪していた自転車が盗まれるといった自転車の盗難の問題を大幅に減らすことができ、所有者が安心して自宅などの家庭に自転車を駐輪することができる。
【００１０】
また、固定兼施錠手段における施錠するときは自動的に施錠でき、施錠を解除するときはキーやスイッチなどによる操作によって手動で解除できるようにしたことで、施錠するときあるいは施錠を解除するとき、非常に容易かつ簡単にこれらの操作を行うことができ、これにより、家庭用駐輪機の車輪係止装置への自転車の駐輪作業を極めて容易に行うことができる。
【００１１】
また、自転車の車輪を係止して固定状態にて施錠したとき、自転車を強引に引き出そうとすると、自転車の車輪を壊してしまうおそれがあったが、施錠していることを示す施錠確認ランプを備えたことで、車輪係止装置において施錠されていることを容易に認識することができ、これにより、自転車を強引に引き出すといったことをなくし、自転車が損傷してしまうのを防止することができる。しかも、自転車の車輪が装置本体の車輪進入スペース内にきちんと収まっていなかったりして、車輪係止装置における自転車の車輪を係止した状態で施錠されていないと、施錠確認ランプにより容易に確認することができ、これにより、常に自転車を確実に施錠された状態で家庭用駐輪機に駐輪できることから、自転車の盗難といった問題をより一層防止することができる。
【図面の簡単な説明】
【００１２】
【図１】家庭用駐輪機の側面図である。
【図２】家庭用駐輪機の上面図である。
【図３】図１におけるＡ−Ａ断面図である。
【図４】本発明の家庭用駐輪機の車輪係止装置の内部構造を示す斜視図である。
【図５】本発明の家庭用駐輪機の車輪係止装置の内部構造を示す斜視図である。
【図６】本発明の家庭用駐輪機の車輪係止装置のカバーの斜視図である。
【図７】本発明の家庭用駐輪機の車輪係止装置のスイングストッパーアームの爪部の説明図である。
【図８】本発明の家庭用駐輪機の車輪係止装置の固定兼施錠手段を示す斜視図である。
【図９】（ａ）固定兼施錠手段における固定用フック体の説明図である。（ｂ）固定兼施錠手段における円板カムの説明図である。
【図１０】（ａ）固定兼施錠手段における円板カムの作動状態を示す説明図である。（ｂ）固定兼施錠手段における固定用フック体の作動状態を示す説明図である。
【図１１】本発明の家庭用駐輪機の車輪係止装置の別の固定兼施錠手段を示す斜視図である。
【図１２】本発明の家庭用駐輪機の車輪係止装置の操作用コントローラの操作スイッチ部を説明する斜視図である。
【図１３】本発明の家庭用駐輪機の車輪係止装置の別の固定兼施錠手段を示す斜視図である。
【図１４】本発明の家庭用駐輪機の車輪係止装置の施錠確認ランプを説明する斜視図である。
【発明を実施するための形態】
【００１３】
本発明による家庭用駐輪機の車輪係止装置の一実施形態について説明する。
まず、家庭用駐輪機は、自宅などの家庭において一軒家の玄関先や庭先あるいはマンションやアパートなどの駐輪場所に設置することによって、自転車を駐輪するものである。
【００１４】
この家庭用駐輪機としては、図１、図２、図３に示すように、自転車の車輪の一部を収納可能とする断面上向きコ字形の車輪ガイドレール１を備え、この車輪ガイドレール１は水平に向かう底レール部２とその先において斜め上方に向かう傾斜レール部３とから全体が横く字形にしており、この車輪ガイドレール１の内側に自転車の車輪が入り込むようにして収納される。また、車輪ガイドレール１における底レール部２の手前側の側面両側から傾斜レール部３の上部の側面両側にわたって左右一対の車輪ホルダーパイプ４をそれぞれ取り付けており、この左右一対の車輪ホルダーパイプ４によって、車輪ガイドレール１の内側に車輪を入れた自転車の左右への傾倒を防止するようにしている。そして、車輪ガイドレール１における傾斜レール部３の上端部に自転車の車輪を係止する車輪係止装置５を横向きに取り付ける。なお、この車輪係止装置５の取り付けにあっては、若干斜めに向けるようにして取り付けている。
【００１５】
また、この家庭用駐輪機は、自宅などの家庭において一軒家の玄関先や庭先あるいはマンションやアパートなどの駐輪場所に設置するようにしているが、このとき、たとえば車輪ガイドレール１の底レール部２などをボルトにて地面に固定することによって、当該家庭用駐輪機を所定の場所に容易に取り外すことができないようにしっかりと設置することができる。
【００１６】
なお、家庭用駐輪機にあっては、前述したものに限定されるものではなく、たとえば車輪ガイドレール１を全体がヘ字形になるようにし、その前方に支柱を立設して、立設した支柱の上部に自転車の車輪を係止する車輪係止装置５を横向きに取り付けるようにしても良い。また、これらと同様、自転車を駐輪可能にするものなら、その他のものでも良い。
【００１７】
次に、このような構成となる家庭用駐輪機において、自転車の車輪を係止する車輪係止装置について述べる。
【００１８】
この車輪係止装置５としては、図４、図５に示すように、自転車の車輪を進入可能とする車輪進入スペースを形成した装置本体１１を備え、この装置本体１１は前後の一方側を大きく開口した平面略Ｕ字形にし、この大きく開口した箇所を車輪進入スペースにしている。この装置本体１１にあっては、車輪進入スペースを形成した上部板１２とその下に位置する下部板１３とから二階構造にし、この上部板１２に形成した車輪進入スペースは上部板の略半分まで達する大きさにすると共に、下部板１３は上部板１２における車輪進入スペースを形成していない箇所と大きさ及び形状を略同じにする。さらに、下部板１３の下側には取り付け用ブラケット１４を設け、この取り付け用ブラケット１４をボルトによって車輪ガイドレール１における傾斜レール部３の上端部に取り付ける。そして、上部板１２における車輪進入スペースを形成した箇所において、後述する自転車の車輪を係止するスイングストッパーアーム１５を出し入れするための出入口１６を左右それぞれに相対するように設ける。また、この車輪係止装置５にあっては、図６に示すように、装置本体１１全体を覆うようになるカバー１７を上部に取り付けており、この取り付けたカバー１７によって、雨水等の内部への進入を防止する。
【００１９】
そして、この装置本体１１に形成した車輪進入スペースの奥側に前後に移動自在になるスライド作動体２１を取り付ける。なお、スライド作動体２１の前後の方向とは、装置本体１１における車輪進入スペースを形成した側が前側で、装置本体１１における車輪進入スペースを形成していない側が後側である。このスライド作動体２１は、自転車の車輪が当たって押されるようになる縦向きの壁面板２２とこの壁面板２２の上下中間において固着している横向き平板状のスライド板２３とからなり、このスライド板２３が装置本体１１の上部板１２に設けた左右のガイド２４に沿って前後に移動する。なお、スライド板２３には、その中央に長方形状の固定用穴部２５を設けている。
【００２０】
一方、装置本体１１の上部板１２には、その前後中央の左右両側に縦向きの軸部２６をそれぞれ設けており、この左右両側の軸部２６に左右一対のスイングストッパーアーム１５を回動自在に取り付ける。このスイングストッパーアーム１５は装置本体１１の車輪進入スペース内に突出して車輪進入スペースに進入した自転車の車輪を係止するものである。
【００２１】
そして、この左右一対のスイングストッパーアーム１５は、元側の基端部３１とこの基端部３１から折曲する中間部３２とこの中間部３２から折曲する先側の爪部３３とから全体を平面略コ字形にし、基端部３１と中間部３２との折曲した箇所において装置本体１１の上部板１２に設けた軸部２６に回動自在に取り付けることで、この軸部２６を中心に回動する。また、その先側の爪部３３では装置本体１１の上部板１２に設けた出入口１６より車輪進入スペース内に突出自在となり、スイングストッパーアーム１５が回動して車輪進入スペース内にスイングストッパーアーム１５の爪部３３を突出したとき、この爪部３３にて車輪進入スペース内に進入している自転車の車輪を係止する。
【００２２】
また、このスイングストッパーアーム１５の基礎部３１の端には長穴３４を形成しており、左右のスイングストッパーアーム１５において、基礎部３１の端を重ね合わせてから、この長穴３４にスライド作動体２１のスライド板２３に固着したピン３５を遊挿する。これにより、装置本体１１に形成した車輪進入スペースに自転車の車輪が進入し、進入してきた車輪がスライド作動体２１の壁面板２２に当たって当該スライド作動体２１のスライド板２３を押して後側に移動させる。そして、このスライド板２３及びスライド作動体２１の後側への移動により、これを追従するようにスイングストッパーアーム１５の基礎部３１の端も後側に移動し、当該スイングストッパーアーム１５が軸部２６を中心に回動することで、その先側の爪部３３が車輪進入スペース内に突出する。
【００２３】
また、このスライド作動体２１のスライド板２３に掛止用ピン３６を設けると共に、装置本体１１の上部板１２の左右にも掛止用ピン３７をそれぞれ設け、スライド板２３に設けた掛止用ピン３６から左右の掛止用ピン３７にわたってバネ３８をひっかける。このバネ３８によって、スライド板２３及びスライド作動体２１おける前側に移動する方向への力が働き、これにより、左右一対のスイングストッパーアーム１５における広がる方向への力が働くようになる。ただし、この広がる方向への力は何もない状態において左右一対のスイングストッパーアーム１５を広げることのできる程度の力であって、車輪進入スペースに自転車の車輪が進入してスライド作動体２１を押して後側に移動する際には、これに抵抗することなく、スライド作動体２１の後側への移動及び左右一対のスイングストッパーアーム１５の閉まる方向、すなわちスイングストッパーアーム１５の爪部３３が車輪進入スペース内に突出するようになる。
【００２４】
なお、車輪進入スペース内に突出する左右一対のスイングストッパーアーム１５の爪部３３にあっては、左右の爪部３３が突出しとき、図７に示すように、上下段違いとなって重なるようにしており、これにより、このスイングストッパーアーム１５の爪部３３において係止した自転車の車輪を容易に引き出せないような構造にする。
【００２５】
一方、スイングストッパーアーム１５による自転車の車輪を係止したとき、すなわちスイングストッパーアーム１５の爪部３３が車輪進入スペース内に突出しているとき、このスイングストッパーアーム１５を固定状態にし、この固定状態にて施錠可能すると共に、所望時にスイングストッパーアーム１５の固定状態での施錠を解除可能にするようになる固定兼施錠手段４１を設ける。
【００２６】
この固定兼施錠手段４１としては、図８に示すように、装置本体１１の上部板１２と下部板１３の間に取り付けるもので、一対のブラケット４２を介して横向きのシャフト４３に円板状の固定用フック体４４を取り付ける。この固定用フック体４４のシャフト４３への取り付けは、回転自在に取り付けるが、回転する範囲は決められた範囲内でしか回転しない。また、固定用フック体４４は、図９（ａ）に示すように、その上部に突起状のフック片４５を設け、この固定用フック体４４のフック片４５がスライド作動体２１のスライド板２３に設けた固定用穴部２５に挿入可能になる。このフック片４５は、前側を曲面部４６にし、後側を壁面部４７にしている。また、固定用フック体４４の下部には段部４８を設けており、この下部に設けた段部４８に装置本体１１の下部板１３に取り付けた平板状の板ストッパ４９の端部が当接することで、固定用フック体４４の回転が制限される。これによって、装置本体１１の車輪進入スペースに進入してきた車輪がスライド作動体２１の壁面板２２に当たって当該スライド作動体２１のスライド板２３を押して後側に移動させると、固定用フック体４４が回転し、後側に移動したスライド板２３の中央に設けた固定用穴部２５に固定用フック体４４のフック片４５が突き出るように挿入され、スライド板２３の固定用穴部２５に固定用フック体４４のフック片４５の壁面部４７が当接した状態になる。このとき、固定用フック体４４の下部に設けた段部４８が装置本体１１の下部板１３に取り付けた板ストッパ４９の端部に当接していることにより、固定用フック体４４が回転することなく固定された状態になる。このように、固定用フック体４４が回転することなく固定された状態になることで、固定用フック体４４のフック片４５がスライド板２３に設けた固定用穴部２５に挿入された状態のままとなり、スライド板２３及びスライド作動体２１を固定する。これにより、スイングストッパーアーム１５を固定状態にし、この固定状態にて施錠することができる。
【００２７】
そして、固定用フック体４４を取り付けたシャフト４３には、一対のブラケット４２の一方の外側に円板状の円板カム５１を固着する。この円板カム５１は、図９（ｂ）に示すように、その下部に段部５２を設けており、この段部５２に装置本体１１の下部板１３に取り付けた板ストッパ４９の端部が当接することにより、シャフト４３に対して固定用フック体４４の回転が規制される。また、この円板カム５１には、その下部に設けた段部５２の先に突出輪郭部５３を設けており、円板カム５１が回転することにより、図１０（ａ）に示すように、この突出輪郭部５３が装置本体１１の下部板１３に取り付けた板ストッパ４９を押し下げる。そして、この装置本体１１の下部板１３に取り付けた板ストッパ４９が円板カム５１の突出輪郭部５３によって押し下げられると、図１０（ｂ）に示すように、固定用フック体４４において、下部に設けた段部４８が板ストッパ４９の端部から外れ、シャフト４３に対して固定用フック体４４が回転可能になり、これにより、スライド板２３に設けた固定用穴部２５に挿入された固定用フック体４４のフック片４５がフリーな状態になり、スライド板２３及びスライド作動体２１における固定もフリーな状態になる。
【００２８】
また、この固定用フック体４４及び円板カム５１を取り付けたシャフト４３の端部にかぎ装置６１を取り付ける。このかぎ装置６１にあっては、錠前部６２とこの錠前部６２に差し込んで操作するキー６３とからなり、キー６３を操作してシャフト４３を回転させることにより、シャフト４３に固着した円板カム５１を回転させることで、この円板カム５１が板ストッパ４９を下方に押し下げる。これにより、板ストッパ４９による固定用フック体４４の回転の制限が解除され、固定用フック体４４が回転可能になることで、固定用フック体４４のフック片４５がフリーな状態になり、スライド板２３及びスライド作動体２１における固定もフリーな状態になる。これにより、スイングストッパーアームの固定状態での施錠を解除することができる。
【００２９】
以上のように、固定兼施錠手段４１にあっては、スイングストッパーアーム１５を固定状態にて施錠したり、あるいはスイングストッパーアーム１５の固定状態での施錠を解除したりすることができるようになっている。
【００３０】
このような構成となる車輪係止装置５を備えた家庭用駐輪機の実際の使用例について説明する。なお、家庭用駐輪機については、一軒家の玄関先に設置した場合である。
【００３１】
まず、家庭用駐輪機に自転車を駐輪する場合、装置本体１１に形成した車輪進入スペース内に自転車の車輪を進入すると、進入した車輪がスライド作動体２１の壁面板２２に当たって当該スライド作動体２１を押して移動させる。このスライド作動体２１の移動により、このスライド作動体２１の移動と共に左右一対のスイングストッパーアーム１５も回動し、その先側の爪部３３が車輪進入スペース内に突出する。これにより、この左右一対のスイングストッパーアーム１５によって車輪進入スペース内に進入した自転車の車輪を係止する。それと共に、スライド作動体２１の移動により、装置本体１１に設けた固定兼施錠手段４１において、固定用フック体４４が回転し、固定用フック体４４のフック片４５が上方に移動してスライド作動体２１のスライド板２３に設けた固定用穴部２５に挿入され、スライド作動体２１における前後への移動を固定する。これにより、このスライド作動体２１及びスイングストッパーアーム１５を固定状態にて施錠する。なお、このスライド作動体２１及びスイングストッパーアーム１５を固定状態にて施錠するときは自動的に施錠するようになる。そして、車輪係止装置５における左右一対のスイングストッパーアーム１５によって自転車の車輪を係止した状態で施錠することにより、家庭用駐輪機への自転車の駐輪が完了する。
【００３２】
また、家庭用駐輪機から自転車を取り出す場合、固定兼施錠手段４１のかぎ装置６１においてキー６３を差し込んで、このキー６３を操作してスイングストッパーアーム１５の固定状態での施錠を解除する。なお、このスイングストッパーアーム１５の固定状態での施錠を解除するときはキー６３の操作によって手動で解除できるようになる。これは、かぎ装置６１のキー６３によりシャフト４３に固着した円板カム５１を回転させ、この回転した円板カム５１が板ストッパ４９を下方に押し下げることにより、板ストッパ４９による固定用フック体４４の回転の制限が解除され、固定用フック体４４が回転可能になることで、固定用フック体４４のフック片４５がスライド作動体２１のスライド板２３に設けた固定用穴部２５に対してフリーな状態になり、スライド板２３及びスライド作動体２１における固定もフリーな状態になり、左右一対のスイングストッパーアーム１５の固定状態での施錠を解除する。それから、自転車の車輪を車輪進入スペース内から引き出そうとすると、スイングストッパーアーム１５の固定状態での施錠が解除されていることから、車輪が左右一対のスイングストッパーアーム１５の爪部３３に当たってスイングストッパーアーム１５を回動し、車輪進入スペース内に突出していたスイングストッパーアーム１５の先側の爪部３３を引っ込める。これにより、左右一対のスイングストッパーアーム１５による自転車の車輪の係止がなくなり、車輪進入スペースから自転車の車輪を引き出すことにより、家庭用駐輪機からの自転車の取り出しが完了する。
【００３３】
また、本発明による家庭用駐輪機の車輪係止装置にあっては、前述したものに限定されるものではなく、以下に示すような他の構成のものでも良い。ただし、以下に示すもののみに限定されるものではなく、同様の機能及び機構を有するものなら他の構成のものでも良い。
【００３４】
たとえば、固定兼施錠手段４１において、固定用フック体４４及び円板カム５１を取り付けたシャフト４３の端部に錠前部６２とキー６３とからなるかぎ装置６１を取り付けているが、この代わりに、図１１に示すように、シャフト４３の他方の端部にロータリーソレノイドを設け、このロータリーソレノイド７１にて円板カム５１の回転及び固定用フック体４４を回転可能にするようにしても良い。そして、図示していないが、このロータリーソレノイド７１の作動をコントロールする操作用コントローラを設ける。この操作用コントローラとしては、たとえば、図１２に示すように、装置本体１１を覆うカバー１７の上面に操作スイッチ部７２を設けており、この操作スイッチ部７２には施錠の解除のボタンと共に暗証番号を入力する数字ボタンを設け、ここにおいて暗証番号を入力して施錠の解除のボタンを押す、すなわちボタンの操作によって手動で解除することにより、スイングストッパーアーム１５の固定状態での施錠を解除するようにしたものである。なお、操作用コントローラにおいて、操作スイッチ部７２のボタンの操作によって手動でロータリーソレノイド７１を介して解除していたが、この代わりに、かぎ装置を備え、このかぎ装置のキーの操作によって手動でロータリーソレノイド７１を介して解除するようにしても良い。
【００３５】
また、ロータリーソレノイド７１の作動をコントロールする操作用コントローラの別のタイプとしては、スマートカードキーといったＩＣチップ内蔵の特殊なカードを用いて、このスマートカードキーを車輪係止装置５に近づけることで、ロータリーソレノイド７１の作動をコントロールし、これによって、スイングストッパーアーム１５の固定状態での施錠を解除するようにする。
【００３６】
さらに、操作用コントローラの別のタイプとしては、車輪係止装置５から離れた場所からでも遠隔操作にてロータリーソレノイド７１の作動をコントロールし、スイングストッパーアーム１５の固定状態での施錠を解除することのできるリモコンである。これは、操作用コントローラであるリモコンを一軒家あるいはマンションやアパートなどの玄関や室内などに置いておき、ここでリモコンを操作し、固定兼施錠手段４１におけるスイングストッパーアーム１５の固定状態での施錠を解除できるようにしたものである。なお、このリモコンについては、リモコンとロータリーソレノイド７１との間の信号の送受信を無線にて行うようにするのが良いが、これに限定されるものではなく、有線にて行うようにしても良い。
【００３７】
また、固定兼施錠手段４１にあっては、スイングストッパーアーム１５を固定状態にて施錠するときは自動的に施錠できるようにしていたが、これを、かぎ装置６１のキー６３の操作によって手動で施錠する、あるいは操作用コントローラの操作スイッチ部７２に施錠のボタンを設け、この施錠のボタンを押すことにより、すなわちボタンの操作によって手動で施錠するようにしても良い。
【００３８】
さらに、固定兼施錠手段４１において、前述したものでは、シャフト４３に固定用フック体４４及び円板カム５１を取り付けた構成となっていたが、この代わりに、次のような構成のものにしても良い。
【００３９】
これは、図１３に示すように、装置本体１１の上部板１２と下部板１３の間に上方が開口する箱状の枠７３を設け、この枠７３内に固定用フック体７４を上下移動自在に収め、この固定用フック体７４は、その内部に備えたバネ７５により小ブロック片７６を介して上方に押し上げられている。また、固定用フック体７４は、その上部に突起状のフック片７７を設け、この固定用フック体７４のフック片７７がスライド作動体２１のスライド板２３に設けた固定用穴部２５に挿入可能になる。このフック片７７も、前側を曲面部７８にし、後側を壁面部７９にしている。また、固定用フック体７４の内部の小ブロック片７６には横に向かうピン８１を固着しており、このピン８１は枠７３より横に突出する。一方、横向きに取り付けたシャフト４３には突起部８２を設け、この突起部８２に溝部８３を形成し、この溝部８３に固定用フック体７４の内部の小ブロック片７６に固着したピン８１が嵌り込むようにする。これによって、装置本体１１の車輪進入スペースに進入してきた車輪がスライド作動体２１の壁面板２２に当たって当該スライド作動体２１のスライド板２３を押して後側に移動させると、固定用フック体７４が下方に移動し、後側に移動したスライド板２１の中央に設けた固定用穴部２５に固定用フック体７４のフック片７７が突き出るように挿入され、スライド板２３の固定用穴部２５に固定用フック体７４のフック片７７の壁面部７９が当接した状態になる。このとき、固定用フック体７４の内部に備えたバネ７５により固定用フック体７４が下方に移動することなく上方の位置で固定された状態になり、固定用フック体７４のフック片７７がスライド板２３に設けた固定用穴部２５に挿入された状態のままとなり、スライド板２３及びスライド作動体２１を固定する。これにより、スイングストッパーアーム１５を固定状態にし、この固定状態にて施錠することができる。
【００４０】
そして、シャフト４３の端部に前述と同様のかぎ装置６１を取り付け、キー６３を操作してシャフト４３を回転させることにより、シャフト４３の突起部８２の溝部８３及びピン８１を介して固定用フック体７４を下方に移動させることで、固定用フック体７４のフック片７７も下方に移動するようになり、スライド板２３及びスライド作動体２１における固定もフリーな状態になる。これにより、スイングストッパーアーム１５の固定状態での施錠を解除することができる。
【００４１】
以上のように、固定兼施錠手段４１において、このような構成のものにし、スイングストッパーアーム１５を固定状態にて施錠したり、あるいはスイングストッパーアーム１５の固定状態での施錠を解除したりすることができるようにしても良い。
【００４２】
一方、前記固定兼施錠手段４１にてスイングストッパーアームを固定状態で施錠したとき、この施錠していることを示す施錠確認ランプ８５を備える。これは、図１４に示すように、装置本体１１を覆うカバー１７の側面に設けるもので、固定兼施錠手段４１においてスイングストッパーアーム１５を固定状態で施錠しているときは点灯し、この固定状態での施錠を解除したときは消灯するようになるランプである。なお、この施錠確認ランプ８５にあっては、施錠時に点灯し、開錠時に消灯するものに限定されるものではなく、施錠しているときに赤色に点灯し、施錠を解除したときに緑色に点灯するといったようなものでも良い。また、施錠確認ランプ８５を設ける位置も、カバー１７の側面に限定されるものではなく、上面やその他の箇所に設けるようにしても良い。
【００４３】
このように施錠確認ランプ８５において、家庭用駐輪機に自転車を駐輪したとき、車輪係止装置５におけるスイングストッパーアーム１５を固定状態にて施錠しているか、あるいは、この固定状態での施錠を解除しているかといったことを確認することができる。これにより、家庭用駐輪機に自転車を駐輪したときに、自転車の車輪が装置本体１１の車輪進入スペース内にきちんと収まっていなかったりして、車輪係止装置５における自転車の車輪を係止した状態で施錠されていないと、これを容易に確認することができ、自転車を常に確実に施錠された状態で家庭用駐輪機に駐輪できることで、自転車の盗難といった問題をより一層防止することができる。
【００４４】
しかも、家庭用駐輪機から自転車を取り出す場合、車輪係止装置５におけるスイングストッパーアーム１５を固定状態にて施錠しているとき、自転車を強引に引き出そうとすると、自転車の車輪を壊してしまうおそれがあったが、この施錠確認ランプ８５によって、車輪係止装置５におけるスイングストッパーアーム１５を固定状態にて施錠しているか、あるいは、この固定状態での施錠を解除しているかといったことを確認できることから、車輪係止装置５におけるスイングストッパーアーム１５を固定状態にて施錠しているときは自転車を引き出すことなく、車輪係止装置５におけるスイングストッパーアーム１５による固定状態での施錠を解除しているときのみ自転車を引き出すようにすることで、自転車の破損といったことを一切なくすことができる。
【符号の説明】
【００４５】
１…車輪ガイドレール、２…底レール部、３…傾斜レール部、４…車輪ホルダーパイプ、５…車輪係止装置、１１…装置本体、１２…上部板、１３…下部板、１４…取り付け用ブラケット、１５…スイングストッパーアーム、１６…出入口、１７…カバー、２１…スライド作動体、２２…壁面板、２３…スライド板、２４…ガイド、２５…固定用穴部、２６…軸部、３１…基端部、３２…中間部、３３…爪部、３４…長穴、３５…ピン、３６…掛止用ピン、３７…掛止用ピン、３８…バネ、４１…固定兼施錠手段、４２…ブラケット、４３…シャフト、４４…固定用フック体、４５…フック片、４６…曲面部、４７…壁面部、４８…段部、４９…板ストッパ、５１…円板カム、５２…段部、５３…突出輪郭部、５４…、６１…かぎ装置、６２…錠前部、６３…キー、７１…ロータリーソレノイド、７２…操作スイッチ部、７３…枠、７４…固定用フック体、７５…バネ、７６…小ブロック片、７７…フック片、７８…曲面部、７９…壁面部、８１…ピン、８２…突起部、８３…溝部、８５…施錠確認ランプ
【図１】
2015160503.tif 000003
【図２】
2015160503.tif 000004
【図３】
2015160503.tif 000005
【図４】
2015160503.tif 000006
【図５】
2015160503.tif 000007
【図６】
2015160503.tif 000008
【図７】
2015160503.tif 000009
【図８】
2015160503.tif 000010
【図９】
2015160503.tif 000011
【図１０】
2015160503.tif 000012
【図１１】
2015160503.tif 000013
【図１２】
2015160503.tif 000014
【図１３】
2015160503.tif 000015
【図１４】
2015160503.tif 000016